Podtech/llm-jp-corpus-v4-ja_patent huggingface dataset:
【手続補正書】
【提出日】平成21年8月21日(2009.8.21)
【手続補正１】
【補正対象書類名】特許請求の範囲
【補正対象項目名】全文
【補正方法】変更
【補正の内容】
【特許請求の範囲】
【請求項１】
式、
【化１】
2009515508.tif 000001
（式中、
Ｒ２は、Ｈ、ＣＨ２ＯＲ７、ＣＯＯＲ７、ＣＯＯ−およびＯＲ７から選択されるメンバーであり、
Ｒ７は、Ｈ、置換または非置換アルキルおよび置換または非置換ヘテロアルキルから選択されるメンバーであり、
Ｒ３およびＲ４は、Ｈ、置換または非置換アルキル、ＯＲ８、およびＮＨＣ（Ｏ）Ｒ９から独立して選択されるメンバーであり、
Ｒ８およびＲ９は、Ｈ、置換または非置換アルキル、置換または非置換ヘテロアルキルおよびシアリルから独立して選択され、
ｍおよびｎは、０〜５０００から独立して選択される整数であり、
Ａ１およびＡ２は、Ｈ、置換または非置換アルキル、置換または非置換ヘテロアルキル、置換または非置換シクロアルキル、置換または非置換ヘテロシクロアルキル、置換または非置換アリール、置換または非置換ヘテロアリール、−ＮＡ１２Ａ１３、−ＯＡ１２および−ＳｉＡ１２Ａ１３から独立して選択されるメンバーであり、
Ａ１２およびＡ１３は、置換または非置換アルキル、置換または非置換ヘテロアルキル、置換または非置換シクロアルキル、置換または非置換ヘテロシクロアルキル、置換または非置換アリール、および置換または非置換ヘテロアリールから独立して選択されるメンバーであり、
Ｌａは、結合、置換または非置換アルキルおよび置換または非置換ヘテロアルキルから選択されるリンカーである）
を有する部分を含む因子ＶＩＩペプチド複合体。
【請求項２】
前記残基が、式、
【化２】
2009515508.tif 000002
（式中、
ａは、０〜２０から選択される整数であり、
Ｍは、Ｈ、塩対イオンおよび単一の陰電荷から選択されるメンバーである）
を有する、請求項１に記載のペプチド複合体。
【請求項３】
前記部分が、式、
【化３】
2009515508.tif 000003
を有する、請求項１に記載のペプチド複合体。
【請求項４】
前記部分が、約４０ＫＤａの分子量を有する分岐ＰＥＧを含む、請求項１に記載のペプチド複合体。
【請求項５】
因子ＶＩＩペプチド複合体であって、
【化４】
2009515508.tif 000004
【化５】
2009515508.tif 000005
から選択される式を有する少なくとも１つの部分を含む、
（式中、
Ｄは、−ＯＨおよびＲ１−Ｌ−ＨＮ−から選択されるメンバーであり、
Ｇは、Ｒ１−Ｌ−および−Ｃ（Ｏ）（Ｃ１〜Ｃ６）アルキル−Ｒ１から選択されるメンバーであり、
Ｒ１は、直鎖ポリ（エチレングリコール）残基および分岐ポリ（エチレングリコール）残基から選択されるメンバーを含む部分であり、
Ｌは、結合、置換または非置換アルキルおよび置換または非置換ヘテロアルキルから選択されるメンバーであるリンカーであり、
ＡＡは、前記ペプチド複合体のアミノ酸残基であり、および
ｔは、０および１から選択される整数である）
因子ＶＩＩペプチド複合体。
【請求項６】
Ｇを含まないシアリル部分の１つがない、請求項１に記載のペプチド複合体。
【請求項７】
Ｇを含まないシアリル部分の２つがない、請求項１に記載のペプチド複合体。
【請求項８】
前記因子ＶＩＩペプチド複合体は、配列番号２と少なくとも約９５％相同的であるアミノ酸配列を含む、請求項１に記載のペプチド複合体。
【請求項９】
ＡＡは、前記因子ＶＩＩペプチドのアスパラギン残基である、請求項１に記載のペプチド複合体。
【請求項１０】
ＡＡは、配列番号２のＡｓｎ１４５またはＡｓｎ３２２から選択される、請求項１３に記載の方法。
【請求項１１】
因子ＶＩＩペプチド複合体の合成方法であって、
ａ）シアリダーゼ、
ｂ）グリコシルトランスフェラーゼ、エキソグリコシダーゼおよびエンドグリコシダーゼから選択されるメンバーである酵素、
ｃ）修飾糖質ドナー、および
ｄ）因子ＶＩＩペプチドを、前記複合体を合成するのに適切な条件下、容器内で、組み合わせ、これにより、前記因子ＶＩＩペプチド複合体を合成するステップを含む、方法。
【請求項１２】
修飾糖質は水溶性ポリマーで修飾された糖質である、請求項１１に記載の方法。
【請求項１３】
水溶性ポリマーはポリ（アルキレングリコール）である、請求項１２に記載の方法。
【請求項１４】
修飾糖質は修飾シアル酸である、請求項１１に記載の方法。
【請求項１５】
前記シアリダーゼはペプチドを脱シアル化し、グリコシル部分、
【化６】
2009515508.tif 000006
を含むペプチドを産生し、
前記修飾糖質は、式、
【化７】
2009515508.tif 000007
（式中、
Ｒ２は、Ｈ、ＣＨ２ＯＲ７、ＣＯＯＲ７、ＣＯＯ−およびＯＲ７から選択されるメンバーであり、
Ｒ７は、Ｈ、置換または非置換アルキルおよび置換または非置換ヘテロアルキルから選択されるメンバーであり、
Ｒ３およびＲ４は、Ｈ、置換または非置換アルキル、ＯＲ８、およびＮＨＣ（Ｏ）Ｒ９から独立して選択されるメンバーであり、
Ｒ８およびＲ９は、Ｈ、置換または非置換アルキル、置換または非置換ヘテロアルキルおよびシアリルから独立して選択され、
ｗは、１〜２から選択される整数であり、
（Ｒ１）ｗ−Ｌ−は、式、
【化８】
2009515508.tif 000008
（式中、
ｍおよびｎは、０〜５０００から独立して選択される整数であり、
Ａ１およびＡ２は、Ｈ、置換または非置換アルキル、置換または非置換ヘテロアルキル、置換または非置換シクロアルキル、置換または非置換ヘテロシクロアルキル、置換または非置換アリール、置換または非置換ヘテロアリール、−ＮＡ１２Ａ１３、−ＯＡ１２および−ＳｉＡ１２Ａ１３から独立して選択されるメンバーであり、
Ａ１２およびＡ１３は、置換または非置換アルキル、置換または非置換ヘテロアルキル、置換または非置換シクロアルキル、置換または非置換ヘテロシクロアルキル、置換または非置換アリール、および置換または非置換ヘテロアリールから独立して選択されるメンバーであり、
Ｌａは、結合、置換または非置換アルキルおよび置換または非置換ヘテロアルキルから選択されるリンカーである）
を有する構造である）
を有するＰＥＧ−シアル酸ドナー部分を含み、
前記酵素は、転移に適切な条件下、ＰＥＧ−シアル酸を修飾糖質ドナーから、前記グリコシル部分のＧａｌに転移させ、および
前記複合体は、式、
【化９】
2009515508.tif 000009
を有する修飾シアリル残基を含むグリコシルリンカーを含む、請求項１１に記載の方法。
【手続補正書】
【提出日】平成21年11月4日(2009.11.4)
【手続補正１】
【補正対象書類名】特許請求の範囲
【補正対象項目名】全文
【補正方法】変更
【補正の内容】
【特許請求の範囲】
【請求項１】
チタン又はチタン合金にて出来た歯科インプラントを製造する方法において、
自然酸化層を除去するため、前記インプラントの少なくともねじ付き底部分をエッチングする工程と、
前記ねじ付き底部分を酸エッチングして約２０μｍを超えない頂部からの谷への高さを有するマイクロスケールの凹凸部の均一な列を持つ粗面化した面を形成する工程と、
前記粗面化した面を前処理することなく、２−メトキシエタノール溶媒及びヒドロキシアパタイトナノ結晶から成る溶液に曝すことにより、前記粗面化した面上に別個のヒドロキシアパタイトナノ結晶を堆積させる工程とを含む、歯科インプラントを製造する方法。
【請求項２】
請求項１に記載の方法において、前記凹凸部は、約１μｍないし約１０μｍの頂部から谷への高さを有する、方法。
【請求項３】
請求項２に記載の方法において、前記エッチング、前記酸エッチング及び前記粗面化は、骨又は歯肉と接触するであろう全ての表面にて行われる、方法。
【請求項４】
請求項１から請求項３のいずれか１つに記載の方法において、前記凹凸部は、円錐形形状の要素を含む、方法。
【請求項５】
請求項１から請求項３のいずれか１つに記載の方法において、前記自然酸化層は、第一の酸性溶液により除去され、前記第一の酸性溶液は、水性ふっ化水素酸であり、酸エッチングする工程は、硫酸及び塩酸を混合させる工程を含む、方法。
【請求項６】
ナノ結晶状面をインプラント上に形成する方法において、
インプラントの少なくとも一部分を粗面化して、粗面化した面を形成する工程と、
前記粗面化した面上にアルコシキドを形成することなく、前記粗面化した面上に、骨接合を促進する性質を有する材料から成るナノ結晶を堆積させる工程と
を備える、ナノ結晶状面をインプラント上に形成する方法。
【請求項７】
請求項６に記載の方法において、前記インプラントは、タンタル、コバルト、クロム、チタン、ステンレススチール、これらの合金、又はセラミックから成る群から選ばれた金属からなる、方法。
【請求項８】
請求項６に記載の方法において、前記インプラントは歯科インプラントである、方法。
【請求項９】
請求項６から請求項８のいずれか１つに記載の方法において、前記インプラントの表面の前記一部分は、骨との接合を促進するねじ付き底部分である、方法。
【請求項１０】
請求項６から請求項８のいずれか１つに記載の方法において、前記インプラントの表面を粗面化する工程は、
自然酸化層を前記インプラントの表面から除去する工程と、
形成される表面を酸エッチングする工程と
を備える、方法。
【請求項１１】
請求項６から請求項８のいずれか１つに記載の方法において、前記インプラントの表面を粗面化する工程において、約２０μｍを超えない頂部から谷への高さを有する凹凸部を形成する、方法。
【請求項１２】
請求項１又は請求項６に記載の方法において、前記ナノ結晶は、約２０ｎｍないし約１００ｎｍの程度の大きさのヒドロキシアパタイトナノ結晶である、方法。
【請求項１３】
請求項１２に記載の方法において、前記ヒドロキシアパタイトナノ結晶を堆積させる工程は、前記溶液のｐＨを調整する工程を更に備える、方法。
【請求項１４】
歯科インプラントにおいて、
回転不能な造作部を有するヘッド部分と、
前記ヘッド部分に対向する最下端と、
前記ヘッド部分と前記最下端との間にて骨に係合するねじ付き底部分であって、約２０μｍを超えない頂部から谷への高さを有するマイクロスケールの凹凸部の実質的に均一な列を有する粗面化した面を有し、前記粗面化した面上に配置された、約２０ｎｍないし約１００ｎｍの程度の大きさのヒドロキシアパタイトナノ結晶を含む、別個のナノ粒子を更に含む、ねじ付き底部分と
を備える、歯科インプラント。
【請求項１５】
請求項１４に記載のインプラントにおいて、前記別個のナノ粒子を受け取る前記粗面化した面は、アルコキシド又は三官能基シランを含まない、インプラント。
【請求項１６】
請求項１又は請求項６に記載の方法において、
前記別個のヒドロキシアパタイトナノ結晶を堆積させる工程は、
金属被着層を提供する工程と、
約１８℃ないし約３２℃の温度範囲を有するコロイド溶液中に前記被着層の少なくとも一部分を約１１．５分ないし約２４０分、浸漬する工程とを備え、
前記コロイド溶液は、２−メトキシエタノール溶媒と、溶液の全体に対して約０．０１重量パーセントないし約１重量パーセントの濃度範囲を有する複数のヒドロキシアパタイトナノ結晶とを含み、
前記コロイド溶液のｐＨを約９ないし約１１に調整する工程を備える、ナノ結晶状面を形成する方法。
【請求項１７】
請求項１６に記載の方法において、前記凹凸部は、約１μｍないし約１０μｍの頂部から谷への高さを有する、方法。
【手続補正書】
【提出日】平成21年7月22日(2009.7.22)
【手続補正１】
【補正対象書類名】特許請求の範囲
【補正対象項目名】全文
【補正方法】変更
【補正の内容】
【特許請求の範囲】
【請求項１】
心臓の心膜内の空間内への導入に適合された生体材料を備え、
前記生体材料の容量は、前記心膜内の空間に導入された後に心臓周期の少なくとも一部の間に心筋上への圧縮力を生み出すのに十分なものであることを特徴とする心臓を治療するための生体適合材料。
【請求項２】
前記生体材料の容量が、前記心膜内の空間内に導入された後に約１ｍｍＨｇ〜約１０ｍｍＨｇの範囲の心筋上への圧縮力を生み出すようなものであることを特徴とする請求項１に記載した生体適合材料。
【請求項３】
前記生体材料の容量が、約１ｍｌ〜約１０００ｍｌの範囲にあることを特徴とする請求項２に記載した生体適合材料。
【請求項４】
前記生体材料の容量が、約５０ｍｌ〜約２００ｍｌの範囲にあることを特徴とする請求項２に記載した生体適合材料。
【請求項５】
前記生体材料の容量は、心膜内の空間内において、弛緩期および収縮期の間に圧縮力を負荷するように構成されていることを特徴とする請求項２に記載した生体適合材料。
【請求項６】
前記生体材料は、少なくとも左心室に隣接して少なくとも心外膜を覆うように構成されていることを特徴とする請求項５に記載した生体適合材料。
【請求項７】
前記生体材料は、少なくとも右心室に隣接して心外膜を覆うように構成されていることを特徴とする請求項５に記載した生体適合材料。
【請求項８】
前記生体材料が高分子重合体の溶液であることを特徴とする請求項１に記載した生体適合材料。
【請求項９】
前記生体材料がヒドロゲルであることを特徴とする請求項１に記載した生体適合材料。
【請求項１０】
前記生体材料がエラストマであることを特徴とする請求項１に記載した生体適合材料。
【請求項１１】
前記生体材料が合成ポリマーから成っていることを特徴とする請求項１に記載した生体適合材料。
【請求項１２】
前記生体材料が、自然発生ポリマーから成っていることを特徴とする請求項１に記載した生体適合材料。
【請求項１３】
前記生体材料が、薬物あるいは生物学的プロセスで変更された薬剤を含むことを特徴とする請求項１に記載した生体適合材料。
【請求項１４】
前記生体材料が、鬱血性心臓病の治療のために用いる薬物を含むことを特徴とする請求項１に記載した生体適合材料。
【請求項１５】
前記生体材料が、線維症を誘起する薬剤を含むことを特徴とする請求項１に記載した生体適合材料。
【請求項１６】
前記生体材料が、生体吸収性であることを特徴とする請求項１に記載した生体適合材料。
【請求項１７】
前記生体材料が、３０日以内に生体に吸収されるものであることを特徴とする請求項１に記載した生体適合材料。
【請求項１８】
前記生体材料が、生体非吸収性であることを特徴とする請求項１に記載した生体適合材料。
【請求項１９】
前記生体材料が、放射線不透過性の造影剤を含むことを特徴とする請求項１に記載した生体適合材料。
【請求項２０】
前記生体材料が、超音波によって視認できる不透明な造影剤を含むことを特徴とする請求項１に記載した生体適合材料。
【請求項２１】
前記生体材料が、磁気共鳴映像法標識を含むことを特徴とする請求項１に記載した生体適合材料。
【請求項２２】
前記生体材料が、２つの反応性試薬を含むことを特徴とする請求項１に記載した生体適合材料。
【請求項２３】
前記生体材料は、組織の表面と化学反応して共有結合を形成することができるものであることを特徴とする請求項１に記載した生体適合材料。
【請求項２４】
前記生体材料が、シアシニング性（shear-thinning）の流体であることを特徴とする請求項１に記載した生体適合材料。
【請求項２５】
前記生体材料が、熱可逆性（thermo-reversible）の流体であることを特徴とする請求項１に記載した生体適合材料。
【請求項２６】
前記生体材料が、フィブリンシール剤であることを特徴とする請求項１に記載した生体適合材料。
【請求項２７】
前記生体材料が、CoSeal(登録商標)、DuraSeal（商標）、BioGlue（商標）、Tisseel(登録商標)、VitaGel（商標）、FloSeal（商標）およびEnteryx（商標）から成る生体材料のグループより選択されることを特徴とする請求項１に記載した生体適合材料。
【請求項２８】
前記生体材料が、ペルフルオロエラストマであることを特徴とする請求項１に記載した生体適合材料。
【請求項２９】
前記生体材料が、シリコンであることを特徴とする請求項１に記載した生体適合材料。
【請求項３０】
液体チャンバおよび心臓の心膜内の空間への挿入のための末端領域を有した細長い注入装置と、
心膜内の空間への注入のために前記液体チャンバ内に収納された生体材料と、
を備えることを特徴とする心臓を治療するための組立体。
【請求項３１】
前記注入装置が細長いカテーテルであることを特徴とする請求項３０に記載した組立体。
【請求項３２】
前記カテーテルは、心膜内の空間に前記生体材料を注入するために前記液体チャンバから前記末端領域に延びる複数の管腔を有していることを特徴とする請求項３１に記載した組立体。
【請求項３３】
前記液体チャンバが、約１ｍｌ〜約１０００ｍｌの範囲の容積を有していることを特徴とする請求項３０に記載した組立体。
【請求項３４】
前記液体チャンバが、約５０ｍｌ〜約２００ｍｌの範囲の容積を有していることを特徴とする請求項３０に記載した組立体。
【手続補正書】
【提出日】平成21年10月16日(2009.10.16)
【手続補正１】
【補正対象書類名】特許請求の範囲
【補正対象項目名】全文
【補正方法】変更
【補正の内容】
【特許請求の範囲】
【請求項１】
生物工学処理コラーゲン構築物であって、
小腸の粘膜下層に由来し、抗菌剤で処理された精製コラーゲン組織基質の層を含む、生物工学処理コラーゲン構築物。
【請求項２】
前記構築物がメッシュ加工処理、有窓加工処理又は穿孔加工処理されている、請求項１に記載の生物工学処理コラーゲン構築物。
【請求項３】
前記メッシュのメッシュ比が１：１．５である、請求項２に記載の生物工学処理コラーゲン構築物。
【請求項４】
前記抗菌剤がナノ結晶銀、酸化銀、硝酸銀、スルファジアジン銀、銀−イミダゾレート、ａｒｇｌａｅｓ（ＡｇＫａＰＯ4）、塩酸ポリ（ヘキサメチレンビグアニド）（ＰＨＭＢ）、クロルヘキサジングルコネート、ビス−アミドポリビグアニド、蜂蜜、塩化ベンズアルコニウム、トリクロサン（２，４，４’−トリクロロ−２’−ヒドロキシジフェニルエーテル）、及びシリル第四級アンモニウム塩（オクタデシルジメチルトリメトキシシリルプロピルアンモニウムクロリド）から成る群から選択される、請求項１に記載の生物工学処理コラーゲン構築物。
【請求項５】
前記構築物が、塩酸１−エチル−３−（３−ジメチルアミノプロピル）カルボジイミドと架橋された、請求項１〜４に記載の生物工学処理コラーゲン構築物。
【請求項６】
患者の損傷組織を修復又は置換するための補綴であって、前記補綴が、抗菌剤で処理されたコラーゲン材料の２つ以上の、重ね合わせられ、結合された層を含み、前記補綴が、哺乳類患者にインプラントされた場合、前記インプラント補綴が前記患者の生きている細胞により再構築されるような、生細胞の適切な置換と同時的に起こる制御化生分解を受ける、補綴。
【請求項７】
前記補綴が小腸の粘膜下層由来の加工小腸コラーゲンの２〜５枚のシートを含み、該シートが０．１〜１００ｍＭの濃度で塩酸１−エチル−３−（３−ジメチルアミノプロピル）カルボジイミドと一緒に結合され、架橋されている、請求項６に記載の補綴。
【請求項８】
前記補綴が小腸の粘膜下層由来の加工小腸コラーゲンの２〜１０枚のシートを含み、該シートが０．１〜１００ｍＭの濃度で塩酸１−エチル−３−（３−ジメチルアミノプロピル）カルボジイミドと一緒に結合され、架橋されている、請求項６に記載の補綴。
【請求項９】
前記補綴がヘルニア修復パッチ、大腿ヘルニア修復プラグ、心膜パッチ、膀胱スリング、子宮スリング、心臓内パッチ、置換心臓弁、血管パッチ、繊維輪修復プラグ、繊維輪修復パッチ、腱板修復補綴、硬膜修復パッチ、膀胱瘤修復デバイス、直腸瘤修復デバイス、膣円蓋脱修復スリング、又は形成外科インプラントである、請求項６〜８に記載の補綴。
【請求項１０】
小腸の粘膜下層由来の腸コラーゲン層を含む改質腸コラーゲン層であって、該層が抗菌剤で処理されている改質腸コラーゲン層。
【請求項１１】
前記抗菌剤がナノ結晶銀、酸化銀、硝酸銀、スルファジアジン銀、銀−イミダゾレート、ａｒｇｌａｅｓ（ＡｇＫａＰＯ4）、ポリ塩酸（ヘキサメチレンビグアニド）（ＰＨＭＢ）、クロルヘキサジングルコネート、ビス−アミドポリビグアニド、蜂蜜、塩化ベンズアルコニウム、トリクロサン（２，４，４’−トリクロロ−２’−ヒドロキシジフェニルエーテル）、及びシリル第四級アンモニウム塩（オクタデシルジメチルトリメトキシシリルプロピルアンモニウムクロリド）から成る群から選択される、請求項１０に記載の改質腸コラーゲン層。
【請求項１２】
前記ナノ結晶銀が原子欠陥を欠く、請求項１１に記載の改質腸コラーゲン層。
【請求項１３】
非コラーゲン性構成成分を実質的に含まない哺乳類細胞組織を含む加工組織基質であって、該加工組織基質が抗菌剤で処理されている加工組織基質。
【請求項１４】
前記抗菌剤がナノ結晶銀、酸化銀、硝酸銀、スルファジアジン銀、銀−イミダゾレート、ａｒｇｌａｅｓ（ＡｇＫａＰＯ4）、ポリ塩酸（ヘキサメチレンビグアニド）（ＰＨＭＢ）、クロルヘキサジングルコネート、ビス−アミドポリビグアニド、蜂蜜、塩化ベンズアルコニウム、トリクロサン（２，４，４’−トリクロロ−２’−ヒドロキシジフェニルエーテル）、及びシリル第四級アンモニウム塩（オクタデシルジメチルトリメトキシシリルプロピルアンモニウムクロリド）から成る群から選択される、請求項１３に記載の加工組織基質。
【請求項１５】
前記ナノ結晶銀が原子欠陥を欠く、請求項１４に記載の加工組織基質。
【手続補正書】
【提出日】平成21年11月5日(2009.11.5)
【手続補正１】
【補正対象書類名】特許請求の範囲
【補正対象項目名】全文
【補正方法】変更
【補正の内容】
【特許請求の範囲】
【請求項１】
止血を調節する第Ｘ因子／第Ｘａ因子チモーゲン／プロテアーゼ変異体。
【請求項２】
請求項１記載の変異型チモーゲンプロテアーゼにおいて、前記変異体は配列ＩＤ番号２でコードされる第Ｘ因子／第Ｘａ因子であり、配列ＩＤ番号２のヌクレオチド１６８４−１６９５は、ヌクレオチド１６８４−１８６６がＶａｌまたはＡｌａをコードしていないという条件で、任意のアミノ酸をコードし得るものである、変異型チモーゲンプロテアーゼ。
【請求項３】
請求項１記載の変異型チモーゲン／プロテアーゼにおいて、この変異型チモーゲン／プロテアーゼは、配列ＩＤ番号１に少なくとも１つの修飾を含み、前記修飾は、
ａ）１６位のＩｌｅがＬｅｕ、Ｐｈｅ、Ａｓｐ、またはＧｌｙである場合と、
ｂ）１７位のＶａｌがＬｅｕ、Ａｌａ、またはＧｌｙである場合と、
ｃ）１９４位のＡｓｐがＡｓｎまたはＧｌｕである場合と
から成る群から選択されるものである、変異型チモーゲンプロテアーゼ。
【請求項４】
請求項３記載の変異型チモーゲン／プロテアーゼをコードする核酸であって、
任意選択で細胞内ＰＡＣＥ／フューリン切断部位をコードする、核酸。
【請求項５】
請求項４記載の核酸であって、配列ＩＤ番号２の配列を有し、１６８４−１６９５位のヌクレオチドが、Ｌｅｕ−Ｖａｌ−Ｇｌｙ、Ｇｌｙ−Ｖａｌ−Ｇｌｙ、Ｉｌｅ−Ａｌａ−Ｇｌｙ、Ｐｈｅ−Ｖａｌ−Ｇｌｙ、およびＩｌｅ−Ｇｌｙ−Ｇｌｙから成る群から選択されるアミノ酸をコードするものであり、前記核酸が任意選択で２２３３−２２３５位にヌクレオチドを有し、このヌクレオチドがＡｓｎまたはＧｌｕから成る群から選択されるアミノ酸をコードするものである、核酸。
【請求項６】
請求項５記載の核酸によってコードされる変異型チモーゲン／プロテアーゼ。
【請求項７】
生物学的に適合する担体中に請求項３記載の第Ｘａ因子変異体を有する薬学的組成物。
【請求項８】
発現ベクターにクローニングされる請求項４記載の核酸。
【請求項９】
請求項８記載のベクターにおいて、このベクターは、アデノウイルスベクター、アデノウイルス関連ベクター、レトロウイルスベクター、プラスミド、およびレンチウイルスベクターから成る群から選択されるものである、ベクター。
【請求項１０】
請求項３記載の変異型チモーゲン／プロテアーゼにおいて、前記変異体は活性部位に対する結合親和性が低く、その親和性は適切な補助因子と結合した場合に回復可能なものである、変異型チモーゲン／プロテアーゼ。
【請求項１１】
請求項１０記載の変異体において、前記補助因子は第Ｖａ因子である、変異体。
【請求項１２】
止血関連疾患を治療するための薬剤の製造における、止血を調節する第Ｘ因子／第Ｘａ因子チモーゲン／プロテアーゼ変異体の使用であって、この変異型チモーゲン／プロテアーゼは、配列ＩＤ番号１に少なくとも１つの修飾を含み、前記修飾は、
ａ）１６位のＩｌｅがＬｅｕ、Ｐｈｅ、Ａｓｐ、またはＧｌｙである場合と、
ｂ）１７位のＶａｌがＬｅｕ、Ａｌａ、またはＧｌｙである場合と、
ｃ）１９４位のＡｓｐがＡｓｎまたはＧｌｕである場合と
から成る群から選択されるものである、使用。
【請求項１３】
請求項１２記載の使用において、前記変異体は凝固促進剤であり、前記疾患は血友病ＡおよびＢ、阻害抗体が関与する血友病ＡおよびＢ、凝固因子欠乏症、ビタミンＫエポキシド還元酵素Ｃ１欠乏症、γ−カルボキシラーゼ欠乏症、外傷に伴う出血、損傷、血栓症、血小板減少症、脳卒中、凝固障害、播種性血管内凝固症候群（ｄｉｓｓｅｍｉｎａｔｅｄ  ｉｎｔｒａｖａｓｃｕｌａｒ  ｃｏａｇｕｌａｔｉｏｎ：ＤＩＣ）、抗凝固療法過剰による疾患、ベルナール・スーリエ症候群、グランツマンの血小板無力症、およびストレージプール病から成る群から選択されるものである、使用。
【請求項１４】
請求項１２記載の使用において、前記変異体は抗凝固剤であり、前記疾患は血栓症、血小板減少症、脳卒中、および凝固障害から成る群から選択されるものである、使用。
【請求項１５】
請求項１２記載の使用において、配列ＩＤ番号１の１６、１７、１８位の前記アミノ酸は、Ｌｅｕ−Ｖａｌ−Ｇｌｙ、Ｇｌｙ−Ｖａｌ−Ｇｌｙ、Ｉｌｅ−Ａｌａ−Ｇｌｙ、Ｐｈｅ−Ｖａｌ−Ｇｌｙ、およびＩｌｅ−Ｇｌｙ−Ｇｌｙから成る群から選択されるものであり、１９４位のアミノ酸は、ＡｓｎおよびＧｌｕから成る群から選択されるものである、使用。
【請求項１６】
止血関連疾患の治療における使用のための、止血を調節する第Ｘ因子／第Ｘａ因子チモーゲン／プロテアーゼ変異体であって、この変異型チモーゲン／プロテアーゼは、配列ＩＤ番号１に少なくとも１つの修飾を含み、前記修飾は、
ａ）１６位のＩｌｅがＬｅｕ、Ｐｈｅ、Ａｓｐ、またはＧｌｙである場合と、
ｂ）１７位のＶａｌがＬｅｕ、Ａｌａ、またはＧｌｙである場合と、
ｃ）１９４位のＡｓｐがＡｓｎまたはＧｌｕである場合と
から成る群から選択されるものである、チモーゲン／プロテアーゼ変異体。
【手続補正書】
【提出日】平成21年10月22日(2009.10.22)
【手続補正１】
【補正対象書類名】特許請求の範囲
【補正対象項目名】全文
【補正方法】変更
【補正の内容】
【特許請求の範囲】
【請求項１】
患者から単離した細胞のサンプル中の核酸レベルを測定するためのプローブを含む、癌細胞また癌組織の存在を同定するためのテストキットであって、前記プローブがＶＥＧＦまたはＶＥＧＦＲのフラグメントをコードするヌクレオチド配列であることを特徴とするテストキット。
【請求項２】
患者から単離した細胞のサンプル中の核酸レベルを測定するためのプローブを含む、癌細胞または癌組織において化合物または治療剤の有効性をモニタするためのテストキットであって、前記プローブがＶＥＧＦまたはＶＥＧＦＲのフラグメントをコードするヌクレオチド配列であることを特徴とするテストキット。
【請求項３】
前記プローブがＶＥＧＦＲ−２のフラグメントをコードするヌクレオチド配列である請求項１または２のテストキット。
【請求項４】
さらにキットを使用するため指示書と、細胞を懸濁または固定するための溶液と、検出可能なタグまたは標識と、核酸をハイブリダイゼーションへ感受性とするための溶液と、細胞を溶解するための溶液または核酸を精製するための溶液を含んでいる請求項１ないし３のいずれかのテストキット。
【請求項５】
あるタンパクに対して特異性の抗体を含む、癌細胞または癌組織を同定するためのテストキットであって、前記抗体がＶＥＧＦまたはＶＥＧＦＲに対して特異性の抗体であることを特徴とするテストキット。
【請求項６】
あるタンパクに対して特異性の抗体を含む、癌組織または癌組織において化合物または治療剤の有効性をモニタするためのテストキットであって、前記抗体がＶＥＧＦまたはＶＥＧＦＲに対して特異性の抗体であることを特徴とするテストキット。
【請求項７】
前記抗体がＶＥＧＦＲ−２に対して特異性の抗体である請求項５または６のテストキット。
【請求項８】
さらにキットを使用するための指示書と、細胞を懸濁または固定するための溶液と、検出可能なタグまたは標識と、ポリペプチドを抗体の結合へ感受性とするための溶液と、細胞を溶解するための溶液またはポリペプチドを精製するため溶液を含んでいる請求項５ないし７のいずれかのテストキット。
【手続補正書】
【提出日】平成21年8月31日(2009.8.31)
【手続補正１】
【補正対象書類名】特許請求の範囲
【補正対象項目名】全文
【補正方法】変更
【補正の内容】
【特許請求の範囲】
【請求項１】
プロモーターに作動的に連結された、ＢＭＰ−７ポリペプチドをコードする核酸配列を含む組換えプラスミドベクターであって、前記ＢＭＰ−７ポリペプチドが、プレプロＢＭＰ−７ポリペプチド、プロＢＭＰ−７ポリペプチド、及び成熟ＢＭＰ−７ポリペプチドからなる群から選択されるか、又は
前記ＢＭＰ−７ポリペプチドが、配列番号３並びにＢＭＰ−７活性を有するその断片、変異体、誘導体、及びホモログからなる群から選択されるアミノ酸配列を有する組換えプラスミドベクター。
【請求項２】
ＢＭＰ−７ポリペプチドをコードする核酸配列が、配列番号１、配列番号２、並びにＢＭＰ−７活性を有するポリペプチドをコードするその断片、変異体、誘導体、及びホモログからなる群から選択される請求項１に記載の組換えプラスミドベクター。
【請求項３】
ＢＭＰ−７ポリペプチドが、ＢＭＰ−７シグナル配列、ＩＧＦ−１シグナル配列、及びｔＰＡシグナル配列からなる群から選択されるシグナルペプチドを含むか、又は
前記シグナルペプチドが、配列番号４、配列番号６、配列番号８、配列番号１１、並びにシグナルペプチド活性を有するペプチドをコードするその断片、変異体、誘導体、及びホモログからなる群から選択されるヌクレオチド配列によりコードされるか、又は
前記シグナルペプチドが、配列番号５、配列番号７、配列番号９、配列番号１２、並びにシグナルペプチド活性を有するその断片、変異体、誘導体、及びホモログからなる群から選択されるアミノ酸配列を有する、請求項１又は２に記載の組換えプラスミドベクター。
【請求項４】
プラスミドがpNB292であり、配列番号１０のヌクレオチド配列を有する、又は
プラスミドがVR1012プラスミドに挿入された、ＢＭＰ−７ポリペプチドをコードする核酸配列を含む請求項１〜３のいずれかに記載の組換えプラスミドベクター。
【請求項５】
請求項１〜４のいずれかに記載の組換えプラスミドベクター及び、任意で少なくとも１つの薬学的に又は獣医学的に許容される担体、賦形剤、又は媒体を含む医薬組成物。
【請求項６】
腎不全に罹患している又はそれを発症する危険性がある哺乳動物被検体（ヒトを除く）を処置する方法であって、プロモーターに作動的に連結された、ＢＭＰ−７ポリペプチドをコードする核酸配列を含有する、治療上有効な量のプラスミドを前記哺乳動物被検体に投与することを含む方法。
【請求項７】
腎不全を発症する危険性がある哺乳動物被検体（ヒトを除く）において、腎不全の発症を予防する方法であって、プロモーターに作動的に連結された、ＢＭＰ−７ポリペプチドをコードする核酸配列を含有する、予防的に有効な量のプラスミドベクターを前記哺乳動物被検体に投与することを含む方法。
【請求項８】
ＢＭＰ−７ポリペプチドが、プレプロＢＭＰ−７ポリペプチド、プロＢＭＰ−７ポリペプチド、及び成熟ＢＭＰ−７ポリペプチドからなる群から選択されるか、又は
ＢＭＰ−７ポリペプチドが、配列番号３並びにＢＭＰ−７活性を有するその断片、変異体、誘導体、及びホモログからなる群から選択されるアミノ酸配列を有する請求項６又は７に記載の方法。
【請求項９】
ＢＭＰ−７ポリペプチドをコードする核酸配列が、配列番号１、配列番号２、並びにＢＭＰ−７活性を有するポリペプチドをコードするその断片、変異体、誘導体、及びホモログからなる群から選択される請求項６又は７に記載の方法。
【請求項１０】
ＢＭＰ−７ポリペプチドが、シグナルペプチドを含み、前記シグナルペプチドが、ＢＭＰ−７シグナル配列、ＩＧＦ−１シグナル配列、及びｔＰＡシグナル配列からなる群から選択されるか、又は
前記シグナルペプチドが、配列番号５、配列番号７、配列番号９、配列番号１２、並びにシグナルペプチド活性を有するその断片、変異体、誘導体、及びホモログからなる群から選択されるアミノ酸配列を有するか、又は
前記シグナルペプチドが、配列番号４、配列番号６、配列番号８、配列番号１１、並びにシグナルペプチド活性を有するペプチドをコードするその断片、変異体、誘導体、及びホモログからなる群から選択されるヌクレオチド配列によりコードされる、請求項６〜９のいずれかに記載の方法。
【請求項１１】
プラスミドが、pNB292であり、配列番号１０のヌクレオチド配列を有するか、又は
プラスミドが、VR1012プラスミドに挿入された、ＢＭＰ−７ポリペプチドをコードする核酸配列を含む、請求項６〜１０のいずれかに記載の方法。
【請求項１２】
ＢＭＰ−７ポリペプチドが、哺乳動物被検体（ヒトを除く）中でインビボで発現する請求項６〜１１のいずれかに記載の方法。
【請求項１３】
哺乳動物被検体（ヒトを除く）が、ネコ科の動物及びイヌ科の動物からなる群から選択される請求項６〜１２のいずれかに記載の方法。
【請求項１４】
哺乳動物被検体（ヒトを除く）が、イヌ科の動物である請求項６〜１２のいずれかに記載の方法。
【手続補正２】
【補正対象書類名】明細書
【補正対象項目名】配列表
【補正方法】変更
【補正の内容】
【配列表】
2009515529000001.app
【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
細胞の細胞周期相を自動的に追跡するための方法であって、
１以上の細胞の複数の二次元画像から三次元体積を生成する段階と、
三次元体積のセグメンテーション解析を実施して１以上の細胞を経時的に細胞周期のＧ１期、Ｓ期、Ｇ２期又はＭ期に分類する段階と
を含んでなる方法。
【請求項２】
セグメンテーション解析を実施する段階が、
三次元体積内に明るい管及び暗い管を認定する段階と、
暗い管に関するレベルセットを用いて三次元セグメンテーションを実施して細胞を細胞周期のＧ２期に分類する段階と、
リンキング解析を用いて明るい管を細胞周期のＧ１期、Ｍ期又はＳ期に分類する段階と
を含む、請求項１記載の方法。
【請求項３】
リンキング解析を実施する段階が、１以上の細胞の娘細胞を認定するためのユークリッド距離測定法を含む、請求項２記載の方法。
【請求項４】
リンキング解析を実施する段階が、１以上の細胞の娘細胞を認定するための高速前進法を含む、請求項２又は請求項３記載の方法。
【請求項５】
１以上の細胞がイメージング剤で標識される、請求項１乃至請求項４のいずれか１項記載の方法。
【請求項６】
イメージング剤が、細胞周期進行中に細胞内で位置を変えるように構成された動的細胞マーカーからなる、請求項１乃至請求項５のいずれか１項記載の方法。
【請求項７】
細胞の細胞周期相を自動的に追跡するためのコンピューター読取り可能な媒体であって、
１以上の細胞の複数の二次元画像から三次元体積を生成するためのコードと、
三次元体積のセグメンテーション解析を実施して１以上の細胞を経時的に細胞周期のＧ１期、Ｓ期、Ｇ２期又はＭ期に分類するためのコードと
を含んでなるコンピューター読取り可能な媒体。
【請求項８】
セグメンテーション解析を実施するためのコードが、
三次元体積内に明るい管及び暗い管を認定するためのコードと、
暗い管に関するレベルセットを用いて三次元セグメンテーションを実施して細胞を細胞周期のＧ２期に分類するためのコードと、
リンキング解析を用いて明るい管を細胞周期のＧ１期、Ｍ期又はＳ期に分類するためのコードと
を含む、請求項７記載のコンピューター読取り可能な媒体。
【請求項９】
リンキング解析を実施するためのコードが、１以上の細胞の娘細胞を認定するためのユークリッド距離測定法に関するコードを含む、請求項７又は請求項８記載のコンピューター読取り可能な媒体。
【請求項１０】
リンキング解析を実施するためのコードが、１以上の細胞の娘細胞を認定するための高速前進法に関するコードを含む、請求項７乃至請求項９のいずれか１項記載のコンピューター読取り可能な媒体。
【請求項１１】
細胞の細胞周期相を自動的に追跡するための画像解析システムであって、当該画像解析システムが
イメージャーと、
イメージャーから１以上の細胞の複数の二次元画像を受信するように構成されたプロセッサーと
を含み、プロセッサーは
複数の二次元画像から三次元体積を生成するための命令と、
三次元体積のセグメンテーション解析を実施して１以上の細胞を経時的に細胞周期のＧ１期、Ｓ期、Ｇ２期又はＭ期に分類するための命令と
を実行するように構成されている、画像解析システム。
【請求項１２】
プロセッサーが、
三次元体積内に明るい管及び暗い管を認定するための命令と、
暗い管に関するレベルセットを用いて三次元セグメンテーションを実施して細胞を細胞周期のＧ２期に分類するための命令と、
リンキング解析を用いて明るい管を細胞周期のＧ１期、Ｍ期又はＳ期に分類するための命令と
を実行するように構成されている、請求項１１記載の画像解析システム。
【請求項１３】
リンキング解析を実施するための命令が、１以上の細胞の娘細胞を認定するためのユークリッド距離測定法に関するコードを含む、請求項１１又は請求項１２記載の画像解析システム。
【請求項１４】
リンキング解析を実施するための命令が、１以上の細胞の娘細胞を認定するための高速前進法に関するコードを含む、請求項１１乃至請求項１３のいずれか１項記載の画像解析システム。
【請求項１５】
イメージャーが共焦点顕微鏡からなる、請求項１１乃至請求項１４のいずれか１項記載の画像解析システム。
【請求項１６】
細胞周期進行に対する化合物の効果をスクリーニングするための方法であって、
１以上の細胞を該化合物で処理する段階と、
１以上の細胞の複数の二次元画像から三次元体積を生成する段階と、
三次元体積のセグメンテーション解析を実施して１以上の細胞の進行を経時的に細胞周期のＧ１期、Ｓ期、Ｇ２期又はＭ期に特徴づける段階と、
該進行を対照と比較する段階と
を含んでなる方法。
【請求項１７】
進行を対照と比較する段階が、１以上の細胞の細胞周期進行の画像出力を対照と比較することを含む、請求項１６記載の方法。
【請求項１８】
進行を対照と比較する段階が、対照に関する保存データを検索することを含む、請求項１６又は請求項１７記載の方法。
【請求項１９】
細胞の細胞周期相の進行を表示するためのコンピューター読取り可能な媒体であって、
１以上の細胞の複数の二次元画像から三次元体積を生成するためのコードと、
三次元体積のセグメンテーション解析を実施して１以上の細胞を経時的に細胞周期のＧ１期、Ｓ期、Ｇ２期又はＭ期に分類するためのコードと、
１以上の細胞の細胞周期のＧ１期、Ｓ期、Ｇ２期又はＭ期のリンキング解析を実施するためのコードと、
１以上の細胞の細胞周期のＧ１期、Ｓ期、Ｇ２期又はＭ期を経時的に含む画像を表示するためのコードと
を含んでなるコンピューター読取り可能な媒体。
【請求項２０】
リンキング解析を実施するためのコードが、１以上の細胞の娘細胞を認定するためのユークリッド距離測定法に関するコードを含む、請求項１９記載のコンピューター読取り可能な媒体。
【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
回路装置であって、
この回路装置に電流を供給する電源のための接続部と、
少なくとも１つの第１電気デバイスおよびこれと直列に接続された少なくとも１つの第２電気デバイスと、
少なくともゲート、ソースおよびドレインを有し、ドレインおよびソースにより前記第１電気デバイスと並列に接続された、前記第１電気デバイスを制御するための、少なくとも１つの半導体スイッチと、
半導体スイッチに第１制御信号を供給すると共に、第２電気デバイスに第２制御信号を供給するように構成された制御ユニットと、を備え、
前記第２電気デバイスは、回路装置を使用する際の電流の方向において、前記第１電気デバイスおよび前記半導体スイッチの下流側に位置し、
少なくとも１つの電気部品が、ゲートとソースとの間に設けられており、この電気部品を通して電流が送られるとき、この電気部品の両端間に電圧差が発生し、
更に第１制御信号は、前記ゲートおよび前記電気部品への第１制御電流信号を含み、
第１制御電流信号は、実質的に前記電流に付加され、増加した電流を供給し、
制御ユニットは、付加された第１制御電流の影響を補正するように、第１制御信号に応じて第２制御信号を適応させるように構成されている回路装置。
【請求項２】
半導体スイッチが、絶縁ゲートトランジスタスイッチからなる、請求項１記載の回路装置。
【請求項３】
絶縁ゲートトランジスタスイッチは、ＪＦＥＴまたはＭＯＳＦＥＴを含む、請求項２記載の回路装置。
【請求項４】
電気部品は、抵抗器を含む、請求項１乃至３のいずれか１項に記載の回路装置。
【請求項５】
前記抵抗は、０.５〜５００ｋΩの値、好ましくは１〜１００ｋΩの値を有する、請求項４記載の回路装置。
【請求項６】
第２電気デバイスは、前記第２電気デバイスを制御するための追加絶縁ゲート半導体スイッチを備え、このスイッチは少なくともゲート、ソースおよびドレインを備え、ドレインおよびソースにより前記第２電気デバイスと並列に接続されている、請求項１乃至５のいずれか１項に記載の回路装置。
【請求項７】
第１および／または第２電気デバイスは、ＬＥＤを備える、請求項１乃至６のいずれか１項に記載の回路装置。
【請求項８】
第１および／または第２制御信号は、あるデューティサイクルを有するパルス幅変調された電流信号からなる、請求項１乃至７のいずれか１項に記載の回路装置。
【請求項９】
第２制御信号のデューティサイクルは、第１制御信号に依存する、請求項８記載の回路装置。
【請求項１０】
直列に接続された複数の第１および第２電気デバイスと、複数の第１および第２電気デバイスのうちの１つ以上と各々並列に接続された複数の半導体スイッチと、を備え、
制御ユニットは、半導体スイッチの各々にそれぞれ制御信号を供給するように構成されており、各制御信号は、前記電流に付加される制御電流信号を含み、
制御ユニットは、個々の半導体スイッチの上流側にあるすべての半導体スイッチに対するそれぞれの制御信号のすべてに依存して、付加された制御電流信号の影響を補正するように、各個々の半導体スイッチのそれぞれの制御信号を適応させるように構成されている、請求項１乃至９のいずれか１項に記載の回路装置。
【請求項１１】
直列に接続された第１、第２および第３電気デバイスを備え、電気デバイスの各々は、それぞれこれらデバイスに対して並列に接続された第１、第２および第３半導体スイッチを備え、前記第１、第２および第３半導体スイッチは、制御ユニットからそれぞれの第１、第２および第３制御信号を受け取り、
第１制御信号は、第１制御電流信号を含み、この第１制御電流信号は実質的に前記電流に付加され、増加した電流を供給し、
第２制御信号は、第２制御電流信号を含み、この第２制御電流信号は実質的に前記電流に付加され、増加した電流を供給し、
制御ユニットは、付加された第１制御電流の影響を補正するように、第１制御信号に応じて第２制御信号を適応させるように構成され、
制御ユニットは、付加された第２制御電流の影響を補正するように、第２制御信号に応じて第３制御信号を適応させるように構成されている、請求項１乃至１０のいずれか１項に記載の回路装置。
【請求項１２】
回路装置を駆動する方法であって、
回路装置が、少なくとも１つの第１電気デバイスおよびこれと直列に接続された少なくとも１つの第２電気デバイスを備えており、第１電気デバイスが半導体スイッチにより制御され、半導体スイッチが、少なくともゲート、ソースおよびドレインを有し、ドレインおよびソースにより、前記第１電気デバイスと並列に接続され、回路装置を使用する際の電流の方向において、前記第２電気デバイスが前記第１電気デバイスおよび前記半導体スイッチの下流側に位置するように構成されており、
前記方法は、
半導体スイッチを切り換える第１制御信号を前記ゲートと前記ソースとの間に供給して、第１電気デバイスを制御するステップを備え、
第１制御信号は、第１制御電流信号を含み、第１制御電流信号は、実質的に前記電流に付加され、増加した電流を供給し、
更に、第２制御信号を供給して、前記第２電気デバイスを制御するステップを備え、
第２制御信号は、付加された第１制御電流の影響を補正するように、第１制御信号に応じて決定される、回路装置の駆動方法。
【請求項１３】
回路装置が、請求項１乃至１０のいずれか１項に記載の回路装置である、請求項１２記載の方法。
【請求項１４】
第１制御信号を供給するステップは、ゲートとソースとの間に抵抗要素を設けて、この抵抗要素を通して電流信号を供給することを含み、
電流信号の値に応じて第２制御信号を決定する、請求項１２または１３記載の方法。
【請求項１５】
直列に接続された複数の第１および第２電気デバイスだけでなく、これら複数の第１および第２電気デバイスのうちの１つ以上と各々並列に接続されている複数の半導体スイッチが設けられており、各半導体スイッチはそれぞれの制御信号を受け取り、各制御信号は、前記電流に付加される制御電流信号を含み、
各個々の半導体スイッチのそれぞれの制御信号は、付加された制御電流信号の影響を補正するように、前記個々の半導体スイッチの上流側のすべての半導体スイッチに対するそれぞれの制御信号のすべてに応じて決定される、請求項１２乃至１４のいずれか１項に記載の方法。
【手続補正書】
【提出日】平成21年5月26日(2009.5.26)
【手続補正１】
【補正対象書類名】特許請求の範囲
【補正対象項目名】全文
【補正方法】変更
【補正の内容】
【特許請求の範囲】
【請求項１】
一定数のチャンネルのうちの１つのチャンネルを介して無線ネットワークと通信を行う送受信装置と、
前記一定数のチャンネルのうちの既存の信号が検出されなかったチャンネルを含む利用可能チャンネル・リストを作成する際に使用される信号検出器と、
を備え、
前記信号検出器には、擬似乱数のシーケンスに整合するように構成されており、前記一定数のチャンネルのうちの１つのチャンネル上の受信信号を濾波して、前記受信信号が既存の信号であるか否かを判定する際に使用される濾波済み信号を供給する整合フィルタが含まれている、前記装置。
【請求項２】
前記擬似乱数のシーケンスが、ＡＴＳＣ信号のＰＮ５１１のシーケンスである、請求項１記載の装置。
【請求項３】
一定時間に亘って前記濾波済み信号を積分して、前記受信信号がＡＴＳＣ信号であるか否かを判定する際に使用される積分済み信号を供給する積分器を更に備えた、請求項２記載の装置。
【請求項４】
前記濾波済み信号のピークを検出するピーク検出器と、
一定時間に亘ってピーク位置を記憶するメモリと、
前記記憶されたピーク位置の割合が変わらない場合に前記受信信号がＡＴＳＣ信号であると判定するプロセッサと、
を更に備えた、請求項２記載の装置。
【請求項５】
前記信号検出器に接続されており、前記一定数のチャンネルのうちのＡＴＳＣ信号が検出されなかったチャンネルを含む利用可能チャンネル・リストを作成し、該利用可能チャンネル・リストを前記無線ネットワークに前記送受信装置を介して送信するプロセッサを更に備えた、請求項２記載の装置。  
【請求項６】
前記整合フィルタには、各々が前記受信信号と前記ＰＮ５１１のシーケンスのそれぞれ異なる部分との相関を取る一定数の相関器が含まれている、請求項２記載の装置。
【請求項７】
前記一定数の相関器のそれぞれの相関器出力信号の大きさを合成して、前記受信信号がＡＴＳＣ信号であるか否かを判定する際に使用される出力信号を供給する合成器を更に備えた、請求項６記載の装置。
【請求項８】
前記信号検出器が、ＡＴＳＣ信号のＰＮ６３のシーケンスを更に使用して前記受信信号がＡＴＳＣ信号であるか否かを判定する、請求項２記載の装置。
【請求項９】
無線ネットワーク受信装置に使用される方法であって、
一定数のチャンネルのうちの１つのチャンネルに同調して受信信号を再生する再生ステップと、
前記一定数のチャンネルのうちの既存の信号が検出されなかったチャンネルを含む利用可能チャンネル・リストを作成する際に使用される信号検出器で前記受信信号を処理する処理ステップと、
を備え、
前記処理ステップには、擬似乱数のシーケンスに整合するように構成された整合フィルタで前記受信信号を濾波して、前記受信信号が既存の信号であるか否かを判定する際に使用される濾波済み信号を供給する濾波ステップが含まれている、前記方法。
【請求項１０】
前記擬似乱数のシーケンスが、ＡＴＳＣ信号のＰＮ５１１のシーケンスである、請求項９記載の方法。
【請求項１１】
前記処理ステップには、一定時間に亘って前記濾波済み信号を積分して、前記受信信号がＡＴＳＣ信号であるか否かを判定する際に使用される積分済み信号を供給するステップが更に含まれている、請求項１０記載の方法。
【請求項１２】
前記処理ステップには、
前記濾波済み信号のピークを検出するステップと、
一定時間に亘ってピーク位置を記憶するステップと、
前記記憶されたピーク位置の割合が変わらない場合に前記受信信号がＡＴＳＣ信号であると判定するステップと、
が更に含まれている、請求項１０記載の方法。
【請求項１３】
請求項１０記載の方法であって、前記利用可能チャンネル・リストを送信するステップを更に備えた方法。
【請求項１４】
前記処理ステップには、
前記受信信号と前記ＰＮ５１１のシーケンスのそれぞれ異なる部分との相関を取り、それぞれの相関出力信号を供給するステップと、
前記それぞれの相関出力信号の大きさを合成して、前記受信信号がＡＴＳＣ信号であるか否かを判定する際に使用される出力信号を供給するステップと、
が更に含まれている、請求項１０記載の方法。
【請求項１５】
前記濾波ステップには、ＡＴＳＣ信号のＰＮ６３のシーケンスに整合するように構成されたフィルタで前記受信信号を濾波するステップが更に含まれている、請求項１０記載の方法。